(57)【要約】【課題】  使用中溜まる湯を貯蔵したり排出したり出来る機能を持たせて、蒸し部材にたっぷれと湯を含ませながら、無理のない楽な姿勢で顔を蒸すことができるマスクを、誰にも合わせられるよう柔軟性のある素材で形成、保温性を持たせ、かさばらずに収納できるようにした美容器具の提供。【解決手段】  顔を蒸す蒸し部材２を内面に有し、かつ、あご対応の部分に前記蒸し部材２より落ちてくる液を受けて貯める貯蔵部７を有するマスク１を、前記蒸し部材２を覆い、前記蒸し部材２が顔に当接されるよう頭部に保持させて顔を蒸すことが出来る美容器具。【選択図】図１
2007307009.tif 000002
【特許請求の範囲】
【請求項１】
顔を蒸す蒸し部材２を内面に有し、かつ、あご対応の部分に前記蒸し部材２より落ちてくる液を受けて貯める貯蔵部７を有するマスク１を、前記蒸し部材２を覆い、前記蒸し部材２が顔に当接されるよう頭部に保持させることを特徴とする顔蒸し用美容器具。
【請求項２】
前記マスク１と前記蒸し部材２との間に、前記蒸し部材２の温度を保持するための蓄熱部材３を配置したことを特徴とする請求項１記載の顔蒸し用美容器具。
【請求項３】
前記貯蔵部７に栓ができる排水口１３を形成することを特徴とする請求項１、または、請求項２記載の顔蒸し用美容器具。
【発明の詳細な説明】
【技術分野】
【０００１】
本発明は顔面皮膚を活性化させるために、顔を蒸し毛穴を開かせて老廃物を取り除くとともに、水分を与え血行をよくし内面からの活性化をも促すことの出来る顔蒸し用美容器具並びに該美容器具に用いるマスク及び保温具に関するものである。
【背景技術】
【０００２】
従来一般家庭で使用されるこの種の美容器具は、大別すると、顔蒸し用のマスクを直接顔に当てるもの（例えば特許文献１参照）と、容器に入れた湯で蒸気を発生させ、その蒸気を覆う袋の中に顔を入れて蒸気浴させるもの（例えば特許文献２参照）と二種類あるが、前者にあっては使用中湯が滴り落ちない程度の絞りをしたマスクではマスク自身の保温時間が短いためその美容効果が薄いという欠点があった。また、後者においては、蒸気のみで温めるということはサウナに入ったと同じ効果を望むもので、長い時間をとらなければならないのに湯はすぐに冷めてしまうという欠点があった。
そこで、これらの欠点を改良したものとして本願出願人の発明である美容器具がある。
この美容器具は、蒸気浴に続けて蒸気発生体を直接顔に当てて温め、大きな美容効果を実現させるものであり、空気採り入れ口と兼用する余分に注ぎ込まれる湯を流しだす排出口が形成されるほぼ顔と同形の上方開口の容器上に、顔を包み込めるシートをセットし、その中に置かれる蒸気発生体に湯を注ぎ込み、シート内に顔を差し込み、始めは蒸気発生体より上がる蒸気によって顔を蒸した後、顔に触れても熱くない位に温度が下がってきたら顔に直接当てて蒸しタオルの状態で顔を温め皮膚の活性化を図る美容器具（例えば特許文献３参照）である。
【０００３】
しかしながら、このものにあっては、皮膚活性化の効果を上げるためには「一日１０分の蒸しタオルをすること」とＮＨＫ（平成１６年３月放映）でも言っているようにある程度の時間蒸し続けないと効果が上がらないので、同じ姿勢を取りつづけなければならない。うつむいたままものを見ることもできず同じ姿勢を取り続けることは辛いことであって苦痛を感じる人は多くいることと思われる。それに時が経つにつれ楽な姿勢をとりたくなるので使用中頭が上がってきて傾斜度合いが少なくなってしまうと温度を持続させるため蒸気発生体にたっぷり含ませておく湯が下方であるあごに当たる部分に溜まってしまうので、容器を平行に近い状態に維持するか、その湯を空気取り入れ口と併用して形成されている排出口より流し出すためお辞儀をする状態をして下方に溜まる湯を排出しなければならない。
また、使う人の顔は大小様々なのに容器の形は決められているし、容器を作成するには型をとらねばならずコストがかかる為、販売価格が高くなり消費者の中には購入を躊躇する人も出てくると思われる。また、容器は折り畳みが出来ず使用しない時はそのままの姿で何処かに置いておくか、または、収納するかしなければならないが存在感が大きくなると共に、嵩が大きいということは輸送、商品の在庫のコストにも係わってくるという欠点があった。  
【特許文献１】実全  昭６３−１９７５３８号
【特許文献２】実願  昭３４−６６７７２号
【特許文献３】特開  ２００５−４６５９６号
【発明の開示】
【発明が解決しようとする課題】
【０００４】
本発明は以上のような従来の欠点に鑑み、多様である人の顔に許容され、低コストで製造、販売でき、収納性が良く、美容に必要な蒸し時間の温度を維持することができ、かつ、無理のない楽な姿勢で使用できる美容器具を提供することを目的としている。
本発明の前記ならびにその他の目的と新規な特徴は次の説明を添付図面と照らし合わせて読むと、より完全に明らかになるであろう。
但し、図面はもっぱら解説のためのものであって、本発明の技術的範囲を限定するものではない。
【課題を解決するための手段】
【０００５】
上記目的を達成するために、本発明は顔を蒸す蒸し部材２を内面に有し、かつ、あご対応の部分に前記蒸し部材２より落ちてくる液を受けて貯める貯蔵部７を有するマスク１を、前記蒸し部材２を覆い、前記蒸し部材２が顔に当接されるよう頭部に保持させることで顔を蒸し、それに加えて前記マスク１と前記蒸し部材２との間に、前記蒸し部材２の温度を保持するための蓄熱部材４を配置したことでより長く顔を蒸すことができ、また、貯蔵部７に栓ができる排水口１３を形成することにより、貯蔵部７に溜まる湯を少なくすることができる顔蒸し用美容器具を構成している。
【発明の効果】
【０００６】
以上の説明から明らかなように、本発明にあっては次に列挙する効果が得られる。
（１）顔を蒸す蒸し部材２を内面に有し、かつ、あご対応の部分に前記蒸し部材２より落ちてくる液を受けて貯める貯蔵部７を有するマスク１を、前記蒸し部材２を覆い、前記蒸し部材２が顔に当接されるよう頭部に保持させることで構成されているので、貯蔵部７を形成することによって、蒸し部材２より滴り落ちる湯を受けて貯めておくことができると共に蒸し部材２と湯を隔離しておくことができる。
したがって、蒸し部材２に多くの湯を含くませておけば温度は持続されるが含まれる湯が少なければすぐに冷めてしまうので、温度を持続させるため出来るだけ多くを含ませておきたいものであるが、寝かせておけば含んでいられる湯も立てた状態にすると途端に流れるように落ちてくるもので、楽な姿勢をとるとあご対応の部分に落ちてくる湯が溜まってしまう。その湯をマスクから溢れさせないようにすることができ、また、熱い湯にどっぷり浸かった蒸し部材２に顔を接すると、湯そのものに接するのと同じような温度を感じるもので、熱めの湯を使用したとき湯をたっぷり含んだ蒸し部材２に顎が当たると凄く熱い思いをしなければならないが、それをしないですむので、蒸し部材２に可能な限りの湯を含ませて必要な蒸し時間の温度を維持することができ、無理のない楽な姿勢で充分な時間をとって顔を蒸すことができる。
【０００７】
（２）前記（１）によって、マスク１が保温性を持つ部材で形成されれば、蒸し時間を長く取ることができ、また、蒸し部材２に熱い湯を含ませて押し絞りをするなど熱い湯を扱うことになるが、マスク１に挟んで取り扱うことになるので熱伝導が悪くなるため熱さに対する負担を手に掛けることなく取扱うことができる。
【０００８】
（３）前記（１）によって、柔軟性のある素材で作れば異なる大きさの全ての顔に馴染ませることができる上、使用しないときはかさばらずに収納できて輸送・在庫の際の経費が多く掛からない。また、コストのかかる部品を減らしているので安価で提供できる。
【０００９】
（４）前記（１）によって、頭に保持させる紐３を、額対向の部分を押さえて、係止具１０の中を摺動自在に通して耳にかけられるよう取り付けることにより、蒸し部材２を顔に密着して固定でき、任意の箇所に取り付けられる長さ調節具により好みの長さを取り、使用する人全てに合わせることができる。
【００１０】
（５）前記（１）によって、頭に保持させる紐１７を、前記マスク１の開口部の外周部に取り付けることにより気密状にマスクを装着することができ、外気と接触するとどんどん下がっていく蒸し部材２の温度を保持することが出来る。
【００１１】
（６）前記（１）によって、蒸し部材２に遠赤外線を内蔵させることにより、体に無害で体内奥深くまで届いて肉体を活性化させる上、温度に対して四乗の効果を得ることが出来るという遠赤外線の効用を取り入れることができ大きな効果を挙げることが出来る。
また、絶対温度の四乗に比例して増えるという働きにより、温度が体感としてそれほど感じられなくなる位に下ったとしても、体に対する効能は続いていることになる。
【００１２】
（７）マスク１と蒸し部材２との間に、蒸し部材２の温度を保持するための蓄熱部材４を配置したことで構成されているので、蓄熱部材４に一度温めれば温度がなかなか下がらない高吸収性樹脂等のポリマー等を使用し内蔵させれば、使用中どんどん下がっていく蒸し部材２の温度を直ぐに冷ますことなく持続することができるため、長い間温度を維持して顔を蒸し続けることができる。
【００１３】
（８）前記（７）によって、マスク１に蓄熱部材４を内蔵することに代えて、蓄熱部材４を有する保温具１５を着脱自在に保持できるよう構成すれば同じ効果が得られるとともに、マスク全体を湯に浸けることなく保温具１５だけを温めればよく、時間をかけずにあっさりと使用したいときにはマスク１だけで気軽に使用できる。
【００１４】
（９）前記（７）によって、蓄熱部材４にゲル状の保温材を使用するとき、部屋を仕切って注入すると、どの様な状態におかれても偏りがなく平均して納まるし、含まれる湯が多ければ温度が持続され少なければ早く冷めてしまう原理により、額に当たる部分が早く冷め、下方の顎に当たる部分は何時までも温かいと言う現象が起きるが上部に多めにと必要箇所に必要量を内蔵させることができるし、万が一破損したときの被害を最小限にくい止めることができる。
【００１５】
（１０）前記（７）によって、蓄熱部材４が内蔵されたマスク１にセットされた蒸し部材２を、洗面器のなかに置いて熱湯を注ぎ込んで温めると、蓄熱部材４に熱が吸収されることに温度が取られると共に、蓄熱部材２に熱が吸収されるのに時間が掛かかるので湯が冷め蒸し部材２の温度がそれほど上がらないので、熱湯を注ぎ込んでも蓄熱部材２が温まる頃には、蒸し部材２を顔に接しても注意を要するほどの熱さを感じることがなくなっているが、その分蓄熱部材４が温度を長く保持していられるので必要時間蒸し続けることができる。
【００１６】
（１１）請求項２も前記（１）〜（６）と同様な効果が得られる。
【００１７】
（１２）貯蔵部７に栓ができる排水口１３を形成することで構成されているので、蒸し部材２より落ちてくる湯が如何に多かろうと排出できるので、始めに押し絞りをせずに顔に当てることができる。始めは多く落ちる湯も少したてば少なくなるので、その時は栓をしたり、排水口の先端を複数折り曲げクリップ等で挟み止めたりすれば排水口から落ちる湯を止めて貯めることができる。
したがって、軽く押し絞りをすれば溢れない機能は持たせてあるものの、溜まる湯は少し重くなってぶらぶらして気になる物であるが、排水口が形成されると、少しのあいだ栓をしないでおけば貯まる湯が少なくて済むのでぶらぶらせず、気にすることなく動くことができる。
【００１８】
（１３）前記（１２）によって、使用中姿勢に制約がないので自由に動くことができ、上体を左右にひねったり左右に曲げたりする程度の柔軟体操をすることが無理なくでき、予め回数と経過時間を把握しておけば目がふさがれていても大体の経過時間が分かり、一石二鳥ならぬ三鳥となり有意義に過ごしながら効果をあげることができる。
【００１９】
（１４）請求項３も前記（１１）と同様な効果が得られる。
【発明を実施するための最良の形態】
【００２０】
以下、図面に示す実施例１により、本発明を詳細に説明する。
【実施例１】
【００２１】
図１ないし図４の本発明の第一の実施例において、この例に示す美容器具は、顔全体を覆うマスク１と、このマスク１の内面に取り付けられる蒸し部材２と、これらを顔に固定する紐３、１７とからなっている。
【００２２】
マスク１は、使用する人の顔に合うよう柔軟性のある素材（ビニールやポリエチレンやナイロン等の合成樹脂）により形成され、蓄熱部材４を内蔵し、顔を覆ったとき呼吸ができ、かつ、外が見られるよう鼻対応の部分に呼吸孔５と、目対応の部分に覗き孔６とがあけられている。また、あごの部分には下方に突出させた蒸し部材２から滴り落ちる液体を受けて一時的に貯めておく袋状の貯蔵部７が設けられている。
【００２３】
また、マスク１を顔に固定する紐３が摺動自在に取り付けられるよう係止具１０が図１に示すようマスク１の開口部の外周部近くの耳対応の上部に位置するよう左右に設けられる。また、マスク１を気密状に顔に固定するための紐１７を通すために、頭頂部に開口部１４を設けた紐通し部８が、マスク１の開口部の外周部に形成される。
【００２４】
蓄熱部材４は、蒸し部材２の温度を保持するために大きな意味を持つものである。
蒸し部材２とほぼ同じ大きさで、図３に示すようマスク１の形を基にしてマスク１の呼吸孔５を起点として、呼吸孔の上下をマスクの形状と同じ曲線になるよう外周に向かって切り欠いて１１形成する。収納部１８を、マスク１内に置かれる蒸し部材２と重なるような位置で、蓄熱部材４と同形にマスク１を二重構造にして形成し、その中に蓄熱部材４を挟み内蔵する。また、マスク１全体を二重構造として形成、挟まれる蓄熱部材４の周縁を接着して蓄熱部材４を内蔵させてもよい。
素材は、高温の湯に浸して温めるといつまでも冷めずに温度が持続する、通常保冷材に使用されている高吸収性樹脂や、メラニン樹脂・ポリウレタン樹脂・ポリアクリル樹脂等のポリマーの保温性のあるもので形成し、マスク１の呼吸孔５と覗き孔６とに対向する位置に呼吸孔５と覗き孔６とを設ける。
【００２５】
蒸し部材２は、吸水性のあるフェルト材からなるもので顔の額から顎までを覆うほぼ丸形の形状で、図４に示すよう顎の両脇近くの二箇所に外周より内側に向かって三角状に切欠部１１’を設け、その切欠部１１’を突き合わせ縫合して顔の丸みに添うよう形成する。マスク１の内面に取り付けたとき、マスク１の呼吸孔５と覗き孔６とに対向する位置に呼吸孔５’と覗き孔６’とが設けられる。
素材は、温度を長く保持していく為には蒸し部材２に多くの湯を含ませておくことが肝要なので、フェルトの他、多くの湯を含ませることができるタオルや、スポンジや、形を形成することは出来ないが袋等に入れて形づけられ湯を含んで蒸気を発生することができるもの等により形成される。
蒸し部材２に遠赤外線を内蔵させることにより、体に無害で体内奥深くまで届いて体を活性化させる上、絶対温度の四乗に比例して増えるという効能を取り入れることができ大きな効果を挙げることが出来る。
【００２６】
紐３は、図１に示すよう紐３の長さ方向の中心部をマスク１の外側の額対応の部分に位置させ、両端をそれぞれ係止具１０を通した上、耳に掛けられる長さをとって、マスク１の開口部の外周部近くの耳対応の下部に当たる箇所に取り付けるが、これは固定しても着脱自在に取り付けてもよいものとする。紐３の任意の箇所に長さ調節具９を付けて、使う人すべての顔に密着できるようにする。
【００２７】
紐１７は、図１に示すよう紐通し部８の中を通して設けられ、開口部１４より外部に出た紐１７に長さ調節具９を付けて使う人すべての顔に気密状に固定できるようにする。
【００２８】
次に使い方を説明する。
内部に蒸し部材２を置いたマスク１を洗面器等の容器に入れ、蓄熱部材４と蒸し部材２とが浸る位に熱い湯を注ぎ込み、蓄熱部材４が温まってから取り出し、図１に示す点線上を折り返して適度に押し絞り余分な湯を流し出す。
熱い湯を含むものを押し絞ることになるがマスク内に挟まれているため熱さに苦痛を感じること無く押し絞ることができる。湯を注ぎ込むとき、開口部１４から顔を出した紐１７を容器の外に出るような状態にしておけば、紐通し部８に湯が入らないし、紐１７にゴム紐を使用したとしてもゴム紐をぬらさずに済む。また、予め紐３の耳に掛ける部分を湯の中に入らないようにしておき、その部分を持って引き上げれば熱い湯に手を触れずに取り出すことができる。
【００２９】
マスク１内に顔を埋め込んで蒸し部材２を顔に当てがうが、まだ顔に当てると熱いうちは蒸気だけを顔に当てることにして早く冷めてくる額の部分から徐々に好みの温度を取りながら顔に当てていく。
紐３で額対応の部分を押さえて顔から離れたがる蒸し部材２を顔に密着させ、延長先を耳に掛けてマスク１を顔に固定する。マスク１と顔の間に指を差し入れ蒸し部材２を引きよせて顔に馴染ませた後、紐通し部８の開口部１４より紐１７を引き出して長さ調節具９で顔に合わせてマスク１内を気密状にして顔を蒸す。
【００３０】
この美容器具を使用することにより、顔を温め血液の循環を良くし内部からの活性化を計るだけでなく、蒸し部材２により多くの蒸気で顔を蒸すことができるので、大切な水分を肌に与えることができ不足する水分を補えるので、水分不足から起きる肌あれ、シミ、小じわ等の改善に大きな役割を果たすことができる。
美肌を保つには一日１０分の蒸しタオルと言われているが、発熱体が無い限り、顔に当てたとき湯がたれ落ちないくらいに湯切りをした顔蒸しではすぐに冷めてしまう。蒸し時間を出来るだけ長く続ける為には、温度を持続させなければならない。そうするには出来るだけ多くの湯を保有させ続けることであり、それを保持するための保温性のある器が必要になるが、本発明のマスク１・蒸し部材２は全てを満たしていて、熱い湯に手を触れることもなく１０分間顔を蒸し続けることができる。
【実施例２】
【００３１】
次に図５ないし図１４に示す実施例２について説明する。なお、これらの実施例の説明に当たって、前記本発明の第一の実施するための最良の第一の形態と同一構成部分には同一符号を付して重複する説明を省略する。
【００３２】
図５に示す本発明の第２の実施するための形態において、前記本発明の第１の実施例と主に異なる点は、蓄熱部材４にゲル状の高吸収性樹脂等のポリマーを使用、マスク１の置かれる状態により起こる偏りをなくすため、図５に示すよう収納部１８を部屋を仕切って蓄熱部材４を注入して内蔵した点で、この様に構成した美容器具にしても前記本発明の第１の実施するための形態と同様な作業効果が得られる。
尚、マスク１に対応して呼吸孔５および覗き孔６は形成される。
【００３３】
図６ないし図１０に示す本発明の第３の実施するための形態において、前記本発明の第２の実施例と主に異なる点は、蓄熱部材４内蔵させることに代えて、蓄熱部材４を保持する保温具１５を形成、マスク１に着脱自在に保持させた点で、この様に構成した美容器具にしても前記本発明の第２の実施するための形態と同様な作業効果が得られる。
【００３４】
保温具１５を、図６に示すよう上部を蒸し部材２と同じような形で形成し、下部を呼吸孔５に対応するところより下に向かって切り欠き二股として形成する。また、必要により覗き孔６を形成する。
また、ゲル状の蓄熱部材４を使用するときは、全体を一部屋として注入するとマスク１が置かれる状態により偏りが起きるので、図７に示すよう部屋を区切り注入する。
係止具１０’を、帯状に形成し、図８に示すようマスク１内の呼吸孔５の上部に当たる位置に、長さ方向の中心部を取り付け、保温具１５の二股に別れた下部が差し入れられるようそれぞれの端部をマスク１に取り付けて、保温具１５を差し込んで着脱自在に保持させる。また、保温具１５’を二股にせず呼吸孔５を設けて形成し、保持させたときマスク１内の蒸し部材２と重なる位置に図９ないし図１０に示すようポケット１６を形成して、そのポケット１６に差し入れて着脱自在に保持させても良い。また、ゲル状の蓄熱部材４を使用するときは部屋を仕切り注入しながら形成する。
尚、保温具１５および１５’の覗き孔６はマスク１に対応して形成する。
【００３５】
図１１に示す本発明の第４の実施するための形態において、前記本発明の第３の実施例と主に異なる点は、蓄熱部材４を内蔵することなくマスク自体に保温性を持たせたもので、発泡させた合成樹脂を使用したり、アルミニュウムフィルムやポリエチレンやビニールのシートに発泡させた合成樹脂を裏打ちしたものを使用したり、しなやかな手触りになるようシートを幾層か重ねて厚みを持たせたり（空気を内蔵したことにもなる）、通常物を保護するために使用する小さく区切って空気を内蔵させたシートを他のシートで挟んで空気を内蔵させたり（多くの空気が内蔵できる）して形成したり、シリコンゴムを使用したりして形成した点で、この様に構成した美容器具にしても前記本発明の第３の実施するための形態と同様な作用効果が得られるとともに、このように保温性を持たせてマスク１を形成した上、高吸収性樹脂等の蓄熱部材４を配置させるとより保温性が高まる。
【００３６】
図１２ないし図１３に示す本発明の第５の実施するための形態において、前記本発明の第４の実施例と主に異なる点は、前記貯蔵部７に栓の機能を持つ排水口１３を形成した点で、形成される排水口に、栓１２をしたり、先端を先細りで長めに形成して複数折り返してクリップ等により挟み止めることで栓の機能を持たせたりする。そうすることで、不必要な湯は始めに排出されるので押し絞ることなく取り扱え、始めは多く落ちてくる湯を排出し、少なくなってきたら栓をして貯めておくことができるので貯蔵量を減らすことができる。この様に構成した美容器具にしても前記本発明の第４の実施するための形態と同様な作業効果が得られる。
【００３７】
図１４に示す本発明の第６の実施するための形態において、前記本発明の第５の実施例と主に異なる点は、蒸し部材２に蓄熱部材２を配置させた点で、この様に構成した美容器具にしても前記本発明の第５の実施するための形態と同様な作業効果が得られる。
【００３８】
以上の通り種々の実施形態が考えられるが、本発明の骨子とするところは不特定の人にフィットし楽な姿勢・体位で必要な時間である１０分程度の間顔面を蒸すことにより、顔面の皮膚呼吸の促進と血行を良くしながら顔面の余分な脂肪をも除去するものであり、かつ、一般家庭で無理なく使用できるように製造コストの安価性、嵩張らない収納性に配慮したものである。
従って、顔面を覆うマスクには収納性及びフィット性が求められる柔軟性と必要な時間、温度を維持する断熱性とが求められる為、熱反射性の優れたアルミ箔等の金属箔と断熱性の優れたウレタンシート等の発泡体との複合材料の使用も可能である。
【００３９】
また、蓄熱体には例えばトルマリンの粉末等の遠赤外線を発する材料を含ませることも可能であり、蒸し部材には抗菌性と遠赤外線を発する材料等を組み込むことにより衛生面と皮膚内部からの加熱により血行の促進を計り一層の美容効果を得ることが可能である。
【産業上の利用可能性】
【００４０】
本発明は、顔蒸し用美容器具並びに該美容器具に用いるマスク及び保温具を製造する産業で利用される。
【図面の簡単な説明】
【００４１】
【図１】本発明の第１の実施の形態におけるマスクの側面図
【図２】図１の縦断面図
【図３】本発明の蓄熱部材の正面図
【図４】本発明の蒸し部材の正面図
【図５】本発明の第２の実施の形態における蓄熱部材を示す図１の縦断面図
【図６】本発明の保温具の正面図
【図７】本発明の保温具の正面図
【図８】本発明の第３の実施の形態におけるマスクの背面図
【図９】本発明の第３の実施の形態におけるマスクの背面図
【図１０】本発明の第３の実施の形態におけるマスクの背面図
【図１１】本発明の第４の実施の形態における図１の縦断面図
【図１２】本発明の第５の実施の形態における図１の縦断面の一部切り欠き図
【図１３】本発明の第５の実施の形態における側面の一部切り欠き図
【図１４】本発明の蓄熱部材の縦断面図
【図１５】本発明のマスクを装着した使用態様図
【符号の説明】
【００４２】
１．マスク
２．蒸し部材
３．紐  
４．蓄熱部材
５．呼吸孔
６．覗き孔
７．貯蔵部
８．紐通し部
９．長さ調節具
１０．係止具
１１．切欠部
１２．栓
１３．排水口
１４．開口部
１５．保温具
１６．ポケット
１７．紐
１８．収納部
【図１】
2007307009.tif 000003
【図２】
2007307009.tif 000004
【図３】
2007307009.tif 000005
【図４】
2007307009.tif 000006
【図５】
2007307009.tif 000007
【図６】
2007307009.tif 000008
【図７】
2007307009.tif 000009
【図８】
2007307009.tif 000010
【図９】
2007307009.tif 000011
【図１０】
2007307009.tif 000012
【図１１】
2007307009.tif 000013
【図１２】
2007307009.tif 000014
【図１３】
2007307009.tif 000015
【図１４】
2007307009.tif 000016
【図１５】
2007307009.tif 000017